(57)【要約】【課題】トラック上にあるセルを短時間にて正確にサイズ判別してカウントすることができるセルカウント方法を提供する。【解決手段】走査ウィンドウ５の一行目に設けた０を検出する判定ウィンドウ５Ａ、および走査ウィンドウ５の二行目に設けた１を検出する１×１の判定ウィンドウ５Ｂにより、トラック２上にあるセル１に対して、確実にデータの開始位置が検出されるので、ウィンドウ５内のデータを消去せずとも、同じデータを重複して判定することなくセルサイズを判別してカウントすることを可能にする。【選択図】    図１
2004325091.tif 000002
【特許請求の範囲】
【請求項１】
分析ディスク上に注入した複数サイズからなるセルの有無に基づいて得られた“０”あるいは“１”の２値データが横方向Ｘおよび縦方向Ｙとして面配列されたデータ配列を格納するメモリから、前記データ配列のＸ方向を行として行×Ｘで大きさが表され前記横方向Ｘおよび縦方向Ｙへの移動が可能な走査ウィンドウにより、その領域内の前記データ配列をリードし、それらのデータを基に演算して前記セルの有無を判断し、そのセルサイズを判別してセルサイズ別に前記セルの個数をカウントするセルカウント方法であって、前記走査ウィンドウを、１×Ｘ１（Ｘ１：整数範囲の定数）の大きさでその領域内が全て“０”となるか否かを判定する第１ウィンドウと、前記第１ウィンドウの次の行で前記第１ウィンドウのＸ方向の中央に位置する１×１の大きさでその領域内が“１”であるか否かを判定する第２ウィンドウと、前記第２ウィンドウの次の行に位置するＹ×Ｘ１（Ｙ：整数範囲の変数）の大きさでその領域内の各行が最低１つ“１”を含んでいるか否かを判定する第３ウィンドウとからなる走査ウィンドウとし、この走査ウィンドウを用いて前記セルサイズを判別することを特徴とするセルカウント方法。
【請求項２】
Ｘ１はサンプリング起点のばらつきによる位置ずれ範囲よりも大きい値であることを特徴とする請求項１記載のセルカウント方法。
【請求項３】
検出するセルのサイズをＹ２〜Ｙ３（Ｙ２、Ｙ３は整数、Ｙ２＜Ｙ３）の範囲とし、Ｙ＝Ｙ２−１として、走査ウィンドウによりその領域内の前記データ配列に対するリードを開始し、走査ウィンドウの条件と一致した場合、一致した位置にて、ＹをＹ２、Ｙ２＋１、・・・と順次変更し、前記Ｙの範囲条件と一致するか判定を行い、条件が一致しなくなるか、もしくは、Ｙ＝Ｙ３となるまで、その領域内の前記データ配列に対するリードを実行することを特徴とする請求項１または請求項２記載のセルカウント方法。
【請求項４】
セルの有無は、セルを注入した分析用ディスク上のトラックにレーザ光を照射し、フォトディテクタで受光したときの光量変化により判断することを特徴とする請求項１から請求項３のいずれかに記載のセルカウント方法。
【請求項５】
分析ディスク上に注入した複数サイズからなるセルの有無に基づいて得られた“０”あるいは“１”の２値データが横方向Ｘおよび縦方向Ｙとして面配列されたデータ配列を格納するメモリから、前記データ配列のＸ方向を行として行×Ｘで大きさが表され前記横方向Ｘおよび縦方向Ｙへの移動が可能な走査ウィンドウにより、その領域内の前記データ配列をリードし、それらのデータを基に演算して前記セルの有無を判断し、そのセルサイズを判別してセルサイズ別に前記セルの個数をカウントするセルカウント方法であって、前記走査ウィンドウを、１×Ｘ１（Ｘ１は整数の変数）の大きさでその領域内が全て“０”となるか否かを判定する第１ウィンドウと、前記第１ウィンドウの次の行で前記第１ウィンドウのＸ方向の中央に位置する１×１の大きさでその領域内が“１”であるか否かを判定する第２ウィンドウと、前記第２ウィンドウの次の行に位置するＹ１×Ｘ１（Ｙ１は整数の変数）の大きさでその領域内の各行が最低１つ“１”を含んでいるか否かを判定する第３ウィンドウと、前記第３ウィンドウの次の行に位置する１×Ｘ１（Ｘ１は整数の変数）の大きさでその領域内が全て“０”となるか否かを判定する第４ウィンドウとからなる走査ウィンドウとし、この走査ウィンドウを用いて前記セルサイズを判別することを特徴とするセルカウント方法。
【請求項６】
Ｘ１はサンプリング起点のばらつきによる位置ずれ範囲よりも大きい値であることを特徴とする請求項５記載のセルカウント方法。
【請求項７】
セルの有無は、セルを注入した分析用ディスク上のトラックにレーザ光を照射し、フォトディテクタで受光したときの光量変化により判断することを特徴とする請求項５または請求項６に記載のセルカウント方法。
【発明の詳細な説明】
【０００１】
【発明の属する技術分野】
本発明は、大小様々の大きさからなるセルに対して、一定範囲の大きさのセルをサイズ別にカウントするセルカウント方法に関するものである。
【０００２】
【従来の技術】
以下、分析ディスク上に注入した大小様々の大きさからなるセルに対して、一定範囲の大きさのセルをサイズ別にカウントするための従来のセルカウント方法について、図面を用いて説明する。
【０００３】
図５は従来のセルカウント方法におけるセル検出方法の説明図であり、図５（ａ）は従来のセルカウント方法における分析ディスク上の測定対象物であるセルとトラックおよびレーザ光との位置関係の説明図、図５（ｂ）は従来のセルカウント方法でウィンドウを用いてセルのサイズを判別してサイズ別にカウントする方法の説明図である。
【０００４】
図５（ａ）において、１は分析ディスク上に注入した測定対象物であるセル、２は分析ディスク上のトラック、３は相対的に分析ディスク上を移動するレーザ光である。従来の分析装置は、検体を分析ディスクに注入し、検体内に存在する大小様々の大きさからなるセル１のうち、特定のセルの個数を分析するものであり、このような分析装置において、分析ディスク上には、ＣＤ−ＲＯＭなどの光ディスクと同じように、らせん状にトラック２が刻まれており、分析ディスク回転時、トラック２上を相対的にレーザ光３が移動するように制御されている。
【０００５】
一方、測定対象物であるセル１はトラック２の幅よりも大きく、トラック２を複数本またがって存在しており、トラック２上をレーザ光３が移動する際、トラック２上にセル１があるか否かによりレーザ光受光部に信号変化が生じる。この信号変化を処理することで、セル１があると判定された場合は“１”を、それ以外の場合は“０”をメモリに格納し、それらのデータ配列を基に“１”の縦方向への長さを検出することで、複数のセルに対して、サイズ判別し、サイズ別に個数カウントを行っている。
【０００６】
このようにしてセルのサイズ判別を行い、そのサイズ別にセルをカウントするセルカウント方法（例えば、特許文献１を参照）としては、四角形のウィンドウを用いて求めたいサイズごとにウィンドウを切り替えて、測定対象物であるセルをサイズ別に検出してカウントする方法が用いられる。
【０００７】
以上のようなセルカウント方法において、例えば、トラック１〜１１本分の大きさの複数のセルの中から、トラック６本分の大きさのセルの個数を検出しようとした場合、図５（ｂ）に示すように、まず、６×Ｘ１の大きさのウィンドウを用いて、Ｘ方向へ１つずつずらしながら走査を行い、ウィンドウの各行すべてに“１”が含まれる箇所の数をカウントする。
【０００８】
次に、７×Ｘ１の大きさのウィンドウを用いて、Ｘ方向へ１つずつずらしながら走査を行い、ウィンドウの各行すべてに“１”が含まれる箇所の数をカウントする。
【０００９】
これにより、トラック６本以上にまたがって存在するセルとトラック７本以上にまたがって存在するセルの個数が求まり、差分からトラック６本分の大きさのセルの個数を求めることができる。
【００１０】
なお、ここでＸ１は、ディスク回転ムラや信号検出ばらつきによる“１”の位置ずれ範囲よりも大きい整数値とし、各トラックにおいて“１”の位置ずれが発生しても、同一のセルから検出された“１”として検出することができる。
【００１１】
【特許文献１】
特開２０００−２８７０７７号公報
【００１２】
【発明が解決しようとする課題】
しかしながら上記のような従来のセルカウント方法による測定方法においては、カウントした後のウィンドウ移動において、Ｘ１が大きく、かつ各トラックにおける“１”の位置ずれが小さい場合、一度検出した配列を重複して読み取ってしまう可能性がある。
【００１３】
また、例えばトラック６本分の大きさのセルを検出しようとした場合、７本分以上の大きさのセルは、一度検出したセルでも、次の行のウィンドウ走査において再度検出されてしまう。
【００１４】
そこで、従来のセルカウント方法においては、ウィンドウで検出され一度カウントした箇所に関しては、“１”を“０”に変換することで、重複して“１”として読み取らないようにしているが、そのためにウィンドウの大きさを切り替えて検出を行う際には、再度、すべての行のウィンドウ走査によりトラック上にセルがあるか否かの測定をやり直す必要があり、測定に時間を要するという問題点を有していた。
【００１５】
本発明は、上記従来の問題点を解決するもので、トラック上のセルに対して、複数回、そのセルがあるか否かを測定し直す必要もなく、短時間にかつ正確にセルサイズを判別してカウントすることができるセルカウント方法を提供する。
【００１６】
【課題を解決するための手段】
上記の課題を解決するために、本発明の請求項１に記載のセルカウント方法は、分析ディスク上に注入した複数サイズからなるセルの有無に基づいて得られた“０”あるいは“１”の２値データが横方向Ｘおよび縦方向Ｙとして面配列されたデータ配列を格納するメモリから、前記データ配列のＸ方向を行として行×Ｘで大きさが表され前記横方向Ｘおよび縦方向Ｙへの移動が可能な走査ウィンドウにより、その領域内の前記データ配列をリードし、それらのデータを基に演算して前記セルの有無を判断し、そのセルサイズを判別してセルサイズ別に前記セルの個数をカウントするセルカウント方法であって、前記走査ウィンドウを、１×Ｘ１（Ｘ１：整数範囲の定数）の大きさでその領域内が全て“０”となるか否かを判定する第１ウィンドウと、前記第１ウィンドウの次の行で前記第１ウィンドウのＸ方向の中央に位置する１×１の大きさでその領域内が“１”であるか否かを判定する第２ウィンドウと、前記第２ウィンドウの次の行に位置するＹ×Ｘ１（Ｙ：整数範囲の変数）の大きさでその領域内の各行が最低１つ“１”を含んでいるか否かを判定する第３ウィンドウとからなる走査ウィンドウとし、この走査ウィンドウを用いて前記セルサイズを判別する方法としたことを特徴とする。
【００１７】
以上により、走査ウィンドウでデータ配列を走査してリードした際に、第２ウィンドウは、行×Ｘ＝１×１の大きさの領域で“１”であるか否かを判定するため、同じ箇所のデータを判定することがないので、トラック上のセルに対して、同じデータを重複して判定することなくセルサイズを判別してサイズ別の個数をカウントすることができる。
【００１８】
また、請求項２に記載のセルカウント方法は、請求項１記載のセルカウント方法であって、Ｘ１はサンプリング起点のばらつきによる位置ずれ範囲よりも大きい値である方法としたことを特徴とする。
【００１９】
以上により、第１ウィンドウおよび第３ウィンドウは、Ｘとして位置ずれ範囲よりも大きいＸ１でデータ判定するため、サンプリング起点がずれても“１”の位置を検出することができる。
【００２０】
また、請求項３に記載のセルカウント方法は、請求項１または請求項２記載のセルカウント方法であって、検出するセルのサイズをＹ２〜Ｙ３（Ｙ２、Ｙ３は整数、Ｙ２＜Ｙ３）の範囲とし、Ｙ＝Ｙ２−１として、走査ウィンドウによりその領域内の前記データ配列に対するリードを開始し、走査ウィンドウの条件と一致した場合、一致した位置にて、ＹをＹ２、Ｙ２＋１、・・・と順次変更し、前記Ｙの範囲条件と一致するか判定を行い、条件が一致しなくなるか、もしくは、Ｙ＝Ｙ３となるまで、その領域内の前記データ配列に対するリードを実行する方法としたことを特徴とする。
【００２１】
以上により、第３ウィンドウは、走査ウィンドウの切り替え時に空白範囲を読み取る必要がなく、検出にかかる時間を短縮することができる。
また、請求項４に記載のセルカウント方法は、請求項１から請求項３のいずれかに記載のセルカウント方法であって、セルの有無は、セルを注入した分析用ディスク上のトラックにレーザ光を照射し、フォトディテクタで受光したときの光量変化により判断する方法としたことを特徴とする。
【００２２】
以上により、トラック上のセルの有無を、レーザ光の照射によりフォトディテクタで受光したときの光量変化のみにより判断するため、トラック上にセルが存在する場合には、１つだけ“１”をメモリに格納することになるので、１つのセルにつき複数の“１”が存在した場合におけるデータ処理の複雑さを回避することができる。
【００２３】
また、請求項５に記載のセルカウント方法は、分析ディスク上に注入した複数サイズからなるセルの有無に基づいて得られた“０”あるいは“１”の２値データが横方向Ｘおよび縦方向Ｙとして面配列されたデータ配列を格納するメモリから、前記データ配列のＸ方向を行として行×Ｘで大きさが表され前記横方向Ｘおよび縦方向Ｙへの移動が可能な走査ウィンドウにより、その領域内の前記データ配列をリードし、それらのデータを基に演算して前記セルの有無を判断し、そのセルサイズを判別してセルサイズ別に前記セルの個数をカウントするセルカウント方法であって、前記走査ウィンドウを、１×Ｘ１（Ｘ１は整数の変数）の大きさでその領域内が全て“０”となるか否かを判定する第１ウィンドウと、前記第１ウィンドウの次の行で前記第１ウィンドウのＸ方向の中央に位置する１×１の大きさでその領域内が“１”であるか否かを判定する第２ウィンドウと、前記第２ウィンドウの次の行に位置するＹ１×Ｘ１（Ｙ１は整数の変数）の大きさでその領域内の各行が最低１つ“１”を含んでいるか否かを判定する第３ウィンドウと、前記第３ウィンドウの次の行に位置する１×Ｘ１（Ｘ１は整数の変数）の大きさでその領域内が全て“０”となるか否かを判定する第４ウィンドウとからなる走査ウィンドウとし、この走査ウィンドウを用いて前記セルサイズを判別する方法としたことを特徴とする。
【００２４】
以上により、走査ウィンドウでデータ配列を走査してリードした際に、第２ウィンドウは、行×Ｘ＝１×１の大きさの領域で“１”であるか否かを判定するため、同じ箇所のデータを判定することがないので、トラック上のセルに対して、同じデータを重複して判定することなく、求める検出サイズ一つにつき一度ウィンドウを走査するだけで、セルサイズを判別してサイズ別の個数をカウントすることができる。
【００２５】
また、請求項６に記載のセルカウント方法は、請求項５記載のセルカウント方法であって、Ｘ１はサンプリング起点のばらつきによる位置ずれ範囲よりも大きい値である方法としたことを特徴とする。
【００２６】
以上により、第１ウィンドウおよび第３ウィンドウは、Ｘとして位置ずれ範囲よりも大きいＸ１でデータ判定するため、サンプリング起点がずれても“１”の位置を検出することができる。
【００２７】
また、請求項７に記載のセルカウント方法は、請求項５または請求項６に記載のセルカウント方法であって、セルの有無は、セルを注入した分析用ディスク上のトラックにレーザ光を照射し、フォトディテクタで受光したときの光量変化により判断する方法としたことを特徴とする。
【００２８】
以上により、トラック上のセルの有無を、レーザ光の照射によりフォトディテクタで受光したときの光量変化のみにより判断するため、トラック上にセルが存在する場合には、１つだけ“１”をメモリに格納することになるので、１つのセルにつき複数の“１”が存在した場合におけるデータ処理の複雑さを回避することができる。
【００２９】
【発明の実施の形態】
以下、本発明の実施の形態を示すセルカウント方法について、図面を参照しながら具体的に説明する。
（実施の形態１）
本発明の実施の形態１のセルカウント方法を説明する。
【００３０】
図１は本実施の形態１のセルカウント方法におけるセル検出方法の説明図であり、図１（ａ）は本実施の形態１のセルカウント方法における分析ディスク上の測定対象物であるセルとトラックおよびレーザ光との位置関係の説明図、図１（ｂ）は本実施の形態１のセルカウント方法でウィンドウを用いてセルのサイズを判別してサイズ別にカウントする方法の説明図である。
【００３１】
図１（ａ）において、１は分析ディスク上に注入した測定対象物であるセル、２は分析ディスク上のトラック、３は相対的に分析ディスク上を移動するレーザ光である。本実施の形態１の分析装置は、検体を分析ディスクに注入し、検体内に存在する大小様々の大きさからなるセル１のうち、特定のセルの個数を分析するものであり、このような分析装置において、分析ディスク上には、ＣＤ−ＲＯＭなどの光ディスクと同じように、らせん状にトラック２が刻まれており、分析ディスク回転時、トラック２上を相対的にレーザ光３が移動するように制御されている。
【００３２】
一方、測定対象物であるセル１はトラック２の幅よりも大きく、トラック２を複数本またがって存在しており、トラック２上をレーザ光３が移動する際、トラック２上にセル１があるか否かによりレーザ光受光部に信号変化が生じる。この信号変化を処理することで、セル１があると判定された場合は“１”を、それ以外の場合は“０”を、図１（ｂ）に示すように、データ配列としてメモリ４に格納する。
【００３３】
また、本実施の形態１のセルカウント方法における走査ウィンドウは、基本的にメモリ４のデータ配列のＸ方向を行として行×Ｘで大きさが表され、図１（ｂ）に示すように、メモリ４のデータ配列に対して、１×Ｘ１（Ｘ１は整数の定数）の大きさでその領域内が全て“０”となるか否かを判定する第１ウィンドウ５Ａと、第１ウィンドウ５Ａの次の行で第１ウィンドウ５ＡのＸ方向の中央に位置する１×１の大きさでその領域内が“１”であるか否かを判定する第２ウィンドウ５Ｂと、第２ウィンドウ５Ｂの次の行に位置するＹ×Ｘ１（Ｙは整数の変数）の大きさでその領域内の各行が最低１つ“１”を含んでいるか否かを判定する第３ウィンドウ５Ｃとからなる走査ウィンドウ５としている。
【００３４】
このような走査ウィンドウ５を、データ配列の横方向Ｘおよび縦方向Ｙへ移動可能とし、この走査ウィンドウ５により、サンプリング起点であるデータ配列の左上から走査を開始し、右方向へ一つずつずらし、行の最後までいったら次の行の左端を先頭としてウィンドウ移動し、また左から右へ順に一つずつずらしながら、各ウィンドウ内の条件に合致した箇所を検索していく方法をとる。
【００３５】
また、求めるセルサイズによりウィンドウ５Ｃの縦方向Ｙの大きさは異なる。図２に例としてトラック６本分の大きさのセルを検出する場合についての手順を示す。
【００３６】
まず、走査ウィンドウ５内のウィンドウ５Ｃの大きさを５×Ｘ１（図２（ａ）ではＸ１＝７）とし、図２（ａ）に示すように、ウィンドウを右へ走査していき、その行の最後までいったら次の行の左端を先頭としてウィンドウ移動し、また左から右へ順に一つずつずらしていき、条件を満たす箇所を検索する。
【００３７】
全ての検索範囲を終了したときの走査ウィンドウ５による検出結果は、トラック６本分以上のセルの個数を表すことになる。図２におけるデータ配列においては、上記の走査ウィンドウ５で検索した場合には、図２（ｂ）に示すとおり、条件を満たす箇所として３箇所で検出され、６本分以上のセルは３個あることになる。
【００３８】
次に、ウィンドウ５Ｃの大きさを６×Ｘ１とし、上記と同様に、左から順に一つずつずらしていき、条件を満たす箇所を検索する。このようにして、全ての検索範囲を終了したときの走査ウィンドウ５による検出結果は、トラック７本分以上のセルの個数を表すことになる。図２におけるデータ配列においては、図２（ｃ）に示すとおり、条件を満たす箇所として２箇所で検出され、７本分以上のセルは２個あることになる。
【００３９】
以上から、トラック６本分以上にまたがって存在するセルと、トラック７本分以上にまたがって存在するセルの個数が求まり、それらの差分からトラック６本分の大きさのセルの個数を求めることができる。これにより、図２のデータ配列においては、６本分の大きさのセルは１個存在するということが分かる。ここで、Ｘ１は、データ配列のばらつき範囲よりも大きい整数値とする。
【００４０】
図２（ｂ）、（ｃ）で示した検出位置以外では、走査ウィンドウ５の各ウィンドウ５Ａ、５Ｂ、５Ｃの検出条件を満たさないので、従来のように、重複してデータを読みとってしまわないようにデータを消す必要がなく、再データ測定を行わないで済む。
（実施の形態２）
本発明の実施の形態２のセルカウント方法を説明する。
【００４１】
図３は本実施の形態２のセルカウント方法におけるセル検出方法の説明図であり、図３（ａ）は本実施の形態２のセルカウント方法における分析ディスク上の測定対象物であるセルとトラックおよびレーザ光との位置関係の説明図、図３（ｂ）は本実施の形態２のセルカウント方法でウィンドウを用いてセルのサイズを判別してサイズ別にカウントする方法の説明図である。
【００４２】
図３（ａ）において、１は分析ディスク上に注入した測定対象物であるセル、２は分析ディスク上のトラック、３は相対的に分析ディスク上を移動するレーザ光である。
【００４３】
なお、本実施の形態２のセルカウント方法において、メモリ４にデータ配列を格納するところまでは、実施の形態１と同様であるので、ここでの説明は省略する。
【００４４】
本実施の形態２のセルカウント方法における走査ウィンドウは、基本的にメモリ４のデータ配列のＸ方向を行として行×Ｘで大きさが表され、図３（ｂ）に示すように、メモリ４のデータ配列に対して、１×Ｘ１（Ｘ１は整数の変数）の大きさでその領域内が全て“０”となるか否かを判定する第１ウィンドウ６Ａと、第１ウィンドウ６Ａの次の行で第１ウィンドウ６ＡのＸ方向の中央に位置する１×１の大きさでその領域内が“１”であるか否かを判定する第２ウィンドウ６Ｂと、第２ウィンドウ６Ｂの次の行に位置するＹ１×Ｘ１（Ｙ１は整数の変数）の大きさでその領域内の各行が最低１つ“１”を含んでいるか否かを判定する第３ウィンドウ６Ｃと、第３ウィンドウ６Ｃの次の行に位置する１×Ｘ１（Ｘ１は整数の変数）の大きさでその領域内が全て“０”となるか否かを判定する第４ウィンドウ６Ｄとからなる走査ウィンドウ６としている。
【００４５】
このような走査ウィンドウ６を、データ配列の横方向Ｘおよび縦方向Ｙへ移動可能とし、この走査ウィンドウ６により、サンプリング起点であるデータ配列の左上から走査を開始し、右方向へ一つずつずらし、行の最後までいったら次の行の左端を先頭としてウィンドウ移動し、また左から右へ順に一つずつずらしながら、各ウィンドウ内の条件に合致した箇所を検索していく方法をとる。
【００４６】
また、求めるセルサイズによりウィンドウ６Ｃの縦方向Ｙの大きさは異なる。図４に例としてトラック６本分の大きさのセルを検出する場合についての手順を示す。
【００４７】
まず、走査ウィンドウ６内のウィンドウ６Ｃの大きさを５×Ｘ１（図４（ａ）ではＸ１＝７）とし、図４（ａ）に示すように、走査ウィンドウ６をデータ配列左上から右へ走査していき、その行の最後までいったら次の行の左端を先頭としてウィンドウ移動し、また左から右へ順に一つずつずらしていき、条件を満たす箇所を検索する。
【００４８】
全ての検索範囲を終了したときの走査ウィンドウ６による検出結果は、トラック６本分のセルの個数を表すことになる。図４におけるデータ配列においては、上記の走査ウィンドウ６で検索した場合には、条件を満たす箇所として図４（ｂ）で示した走査ウィンドウ６の１箇所で検出され、６本分のセルは１個あることになる。
【００４９】
図４（ｂ）で示した走査ウィンドウ６による検出位置以外では、走査ウィンドウ６の検出条件を満たさないので、重複してデータを読みとってしまわないようにデータを消す必要がなく、再度のデータ測定を行わないで済む。
【００５０】
その結果、トラック上のセルに対して、複数回、そのセルがあるか否かを測定し直す必要もなく、短時間にかつ正確にセルサイズを判別してカウントすることができる。
【００５１】
【発明の効果】
以上のように本発明によれば、走査ウィンドウの一行目に設けた０を検出する判定ウィンドウ、および走査ウィンドウの二行目に設けた１を検出する１×１の判定ウィンドウにより、トラック上のセルに対して、データの開始位置を確実に検出することにより、ウィンドウ内のデータを消去せずとも同じデータを重複して判定することなく、セルサイズを判別してカウントすることができる。
【００５２】
そのため、トラック上のセルに対して、複数回、そのセルがあるか否かを測定し直す必要もなく、短時間にかつ正確にセルサイズを判別してカウントすることができる。
【図面の簡単な説明】
【図１】本発明の実施の形態１のセルカウント方法におけるセル検出方法の説明図
【図２】同実施の形態１におけるウィンドウ走査の説明図
【図３】本発明の実施の形態２のセルカウント方法におけるセル検出方法の説明図
【図４】同実施の形態１におけるウィンドウ走査の説明図
【図５】従来のセルカウント方法におけるセル検出方法の説明図
【符号の説明】
１    セル
２    トラック
３    レーザ光
４    メモリ
５、６    走査ウィンドウ
５Ａ、６Ａ、６Ｄ    １×Ｘ１（Ｘ１は整数の定数）のウィンドウ
５Ｂ、６Ｂ    １×１のウィンドウ
５Ｃ、６Ｃ    Ｙ×Ｘ１（Ｙは整数の変数）のウィンドウ
【図１】
2004325091.tif 000003
【図２】
2004325091.tif 000004
【図３】
2004325091.tif 000005
【図４】
2004325091.tif 000006
【図５】
2004325091.tif 000007